(57)【要約】【課題】小流量で浴室の洗い場の床面全域に殺菌水を散布可能な浴室用殺菌水吐水装置を提供する。【解決手段】本発明の浴室用殺菌水吐水装置１は、浴室の洗い場の長手方向Ｌ１に沿って並べて設置された複数の吐水口２と、前記吐水口へ給水する吐水流路３に接続され、殺菌水を生成する殺菌水生成部４と、前記吐水口に接続され、前記吐水口の流量調整が可能な流量調整部５と、前記複数の吐水口を同時または選択的に吐水させる流路選択部６と、を備える。【選択図】図２
2018166668.tif 000002
【特許請求の範囲】
【請求項１】
浴室の洗い場の長手方向に沿って並べて設置された複数の吐水口と、
前記吐水口へ給水する吐水流路に接続され、殺菌水を生成する殺菌水生成部と、
前記吐水口に接続され、前記吐水口からの殺菌水の流量調整が可能な流量調整部と、
前記複数の吐水口から同時または選択的に殺菌水を吐水させる流路選択部と、
を備えることを特徴とする浴室用殺菌水吐水装置。
【請求項２】
前記流路選択部が、前記吐水流路上に配設され、前記吐水流路から前記複数の吐水口への給水を切り替え可能な切替機構である
請求項１に記載の浴室用殺菌水吐水装置。
【請求項３】
前記流路選択部は、前記複数の吐水口に接続された吐水流路のそれぞれに設けられ、独立して開閉可能なバルブである
請求項１に記載の浴室用殺菌水吐水装置。
【請求項４】
前記吐水流路及び前記複数の吐水口が前記洗い場に隣接する浴槽の側壁部に配設されている請求項１から請求項３のいずれか一項に記載の浴室用殺菌水吐水装置。
【請求項５】
前記複数の吐水口は、前記洗い場に設けられた排水口に近い近位吐水口と、前記近位吐水口よりも前記排水口からの距離が遠い遠位吐水口とを含み、
前記流量調整部または前記流路選択部は、前記近位吐水口と前記遠位吐水口とで吐水状態が異なるように殺菌水を吐水させる
請求項１から請求項４のいずれか一項に記載の浴室用殺菌水吐水装置。
【請求項６】
前記流路選択部は、前記複数の吐水口のうち前記近位吐水口よりも先行して前記遠位吐水口からの前記殺菌水の吐水を行うように選択する
請求項５に記載の浴室用殺菌水吐水装置。
【請求項７】
前記流量調整部は、前記複数の吐水口のうち前記近位吐水口よりも前記遠位吐水口からの前記殺菌水の流量が多くなるように前記複数の吐水口からの前記殺菌水の流量調整を行う
請求項５または請求項６に記載の浴室用殺菌水吐水装置。
【請求項８】
前記流量調整部は、前記吐水口から吐水された前記殺菌水が前記洗い場の特定の領域に着水するように前記吐水口からの前記殺菌水の流量調整を行う
請求項１から請求項７のいずれか一項に記載の浴室用殺菌水吐水装置。
【請求項９】
前記殺菌水生成部を複数備え、
複数の前記殺菌水生成部のそれぞれは、生成した殺菌水を全ての前記吐水口に供給可能に設けられている、
請求項１から請求項８のいずれか一項に記載の浴室用殺菌水吐水装置。
【発明の詳細な説明】
【技術分野】
【０００１】
本発明は、浴室用殺菌水吐水装置に関する。
【背景技術】
【０００２】
浴室の洗い場を清潔に保つために、殺菌水を自動で散布する殺菌システムが提案されている（例えば、特許文献１）。特許文献１の殺菌システムでは、浴室カウンターに殺菌水を生成する機能ユニットが内蔵され、浴室カウンターの前端部側に設置された吐水部から殺菌水を散布するように構成されている。
【先行技術文献】
【特許文献】
【０００３】
【特許文献１】特開２００９−２２５８８４号公報
【発明の概要】
【発明が解決しようとする課題】
【０００４】
特許文献１の殺菌システムでは、吐水部から離れた床面に殺菌水が届くようにするために流量を増やす必要がある。また、十分な殺菌効果が得られる程度の殺菌成分濃度の殺菌水を大量に得るためには、大きな電解槽が必要となる。しかし、限られた空間に設置される浴室においては、大きい電解槽を設置することが難しい場合が多く、設置スペースの点で課題となる上に、電解設備のコストが高くなるという課題があった。また、特許文献１の殺菌システムでは、給水圧力が低い場合は、吐水部から離れた領域に殺菌水を塗布することが難しく、床面全域に殺菌水を散布できないという課題があった。
【０００５】
本発明は、このような事情に鑑みてなされたもので、流量が少なくても浴室の洗い場の床面全域に殺菌水を散布可能な浴室用殺菌水吐水装置を提供することを目的とする。
【課題を解決するための手段】
【０００６】
本発明に係る浴室用殺菌水吐水装置は、浴室の洗い場の長手方向に沿って並べて設置された複数の吐水口と、前記吐水口へ給水する吐水流路に接続され、殺菌水を生成する殺菌水生成部と、前記吐水口に接続され、前記吐水口の流量調整が可能な流量調整部と、前記複数の吐水口を同時または選択的に吐水させる流路選択部と、を備えることを特徴とする。
【０００７】
この発明によれば、洗い場の長手方向に沿って複数の吐水口が並べて設置されているので、各吐水口から吐出する殺菌水の吐水距離が短くても洗い場の床面の全域に殺菌水を行き渡らせることができる。そのため、各吐水口の流量が少なくても、洗い場の床面の全域に殺菌水が行き渡るように吐水できる。この結果、殺菌成分を所定濃度に上昇させるのに必要な殺菌水生成部の設備を小型化することができ、且つ装置のコストを抑えられる。また、流路選択部により、複数の吐水口を同時または選択的に吐水できるので、洗い場の所望の領域のみに殺菌水を吐水することや、同時に吐水することができる。この点においても殺菌成分を所定濃度に上昇させるのに必要な殺菌水生成部の設備を小型化することができ、且つ装置のコストを抑えることができる。
【０００８】
本発明に係る浴室用殺菌水吐水装置は、前記流路選択部が、前記吐水流路上に配設され、前記吐水流路から前記複数の吐水口への給水を切り替え可能な切替機構であってもよい。
【０００９】
この発明によれば、吐水流路から複数の吐水口への給水を切り替え可能であるため、洗い場の所望の領域のみに殺菌水を吐水することや、洗い場の全域に同時に吐水することができる。
【００１０】
本発明に係る浴室用殺菌水吐水装置では、前記流路選択部は、前記複数の吐水口に接続された吐水流路のそれぞれに設けられ、独立して開閉可能なバルブであってもよい。
【００１１】
この発明によれば、バルブにより複数の吐水口を独立して開閉可能であるため、洗い場の所望の領域のみに殺菌水を吐水することや、洗い場の全域に同時に吐水することができる。
【００１２】
本発明に係る浴室用殺菌水吐水装置は、前記吐水流路及び前記複数の吐水口が前記洗い場に隣接する浴槽の側壁部に配設されていてもよい。
【００１３】
この発明によれば、吐水流路及び複数の吐水口が洗い場に隣接する浴槽の側壁部に配設されているので、浴槽の側壁近傍に形成される空間を吐水流路及び複数の吐水口の収容部として有効に活用できる。また、吐水流路及び複数の吐水口を設けるために、浴槽あるいは洗い場のスペースを狭くする必要がない。
【００１４】
本発明に係る浴室用殺菌水吐水装置では、前記複数の吐水口は、前記洗い場に設けられた排水口に近い近位吐水口と、前記近位吐水口よりも前記排水口からの距離が遠い遠位吐水口とを含み、前記流量調整部または前記流路選択部は、前記近位吐水口と前記遠位吐水口とで吐水状態が異なるように殺菌水を吐水させてもよい。
【００１５】
この発明によれば、洗い場のうち汚れが付着しやすい場所である排水口と、その他の領域とで殺菌水の吐水状態を変えることができる。その結果、排水口を重点的に殺菌したい場合に、殺菌水生成部で生成された殺菌水を効果的に排水口に散布することができる。
【００１６】
本発明に係る浴室用殺菌水吐水装置では、前記流路選択部は、前記複数の吐水口のうち前記近位吐水口よりも先行して前記遠位吐水口からの前記殺菌水の吐水を行うように選択してもよい。
【００１７】
この発明によれば、複数の吐水口のうち、近位吐水口に先行して遠位吐水口から殺菌水を吐水できる。洗い場は、水が円滑に流れるように排水口に向かって下降するように勾配を有するので、遠位吐水口から吐水された殺菌水は洗い場上を排水口に向かって流れる。その結果、近位吐水口からの殺菌水の吐水量を少量にしても洗い場を確実に殺菌できるので、殺菌水生成部で生成される殺菌水を効率的に洗い場に散布することができる。
【００１８】
本発明に係る浴室用殺菌水吐水装置では、前記流量調整部は、前記複数の吐水口のうち前記近位吐水口よりも前記遠位吐水口からの前記殺菌水の流量が多くなるように前記複数の吐水口からの前記殺菌水の流量調整を行ってもよい。
【００１９】
この発明によれば、複数の吐水口のうち、遠位吐水口から吐水される殺菌水を流量を近位吐水口よりも多くすることができる。洗い場は、水が円滑に流れるように排水口に向かって下降するように勾配を有するので、遠位吐水口から吐水された殺菌水は洗い場上を排水口に向かって流れる。その結果、近位吐水口からの殺菌水の吐水量を少量にしても洗い場を確実に殺菌できるので、殺菌水生成部で生成される殺菌水を効率的に洗い場に散布することができる。
【００２０】
本発明に係る浴室用殺菌水吐水装置では、前記流量調整部は、前記吐水口から吐水された前記殺菌水が前記洗い場の特定の領域に着水するように前記吐水口からの前記殺菌水の流量調整を行ってもよい。
【００２１】
この発明によれば、吐水口における殺菌水の流量を調整することにより殺菌水の飛散距離が調整可能であり、洗い場の特定の領域に確実に殺菌水を着水させることができる。したがって、殺菌水生成部で生成される殺菌水を特定の領域に効率的に散布することができる。
【００２２】
本発明に係る浴室用殺菌水吐水装置では、前記殺菌水生成部を複数備え、複数の前記殺菌水生成部のそれぞれは、生成した殺菌水を全ての前記吐水口に供給可能に設けられていてもよい。
【００２３】
この発明によれば、殺菌水生成部を複数備えることにより、殺菌水を同時に各殺菌水生成部で生成して生成量を高めることができる。あるいは、殺菌水生成部を複数備えることにより、水を複数の殺菌水生成部を順次通過させて高濃度の殺菌水を生成させることができる。さらに、複数の殺菌水生成部で生成された殺菌水が全吐水口に供給可能であるため、複数の吐水口からの殺菌水の吐水量または殺菌水濃度のバリエーションが多くなり、殺菌水の吐水状態をより詳細に設定できる。
【発明の効果】
【００２４】
本発明は、小流量で浴室の洗い場の床面全域に殺菌水を散布可能な浴室用殺菌水吐水装置を提供できる。
【図面の簡単な説明】
【００２５】
【図１】第一実施形態に係る浴室用殺菌水吐水装置を適用した浴室の一例を示す平面図である。
【図２】第一実施形態に係る浴室用殺菌水吐水装置の概略構成を示す模式図である。
【図３】第一実施形態の吐水口付近を示す縦断面図である。
【図４】第一実施形態の変形例の浴室用殺菌水吐水装置の概略構成を示す模式図である。
【図５】第一実施形態の流路選択部の変形例を示す分解斜視図である。
【図６】第二実施形態に係る浴室用殺菌水吐水装置を適用した浴室の一例を示す平面図である。
【図７】第二実施形態の浴室用殺菌水吐水装置の概略構成を示す模式図である。
【発明を実施するための形態】
【００２６】
（第一実施形態）
以下、本発明の第一実施形態に係る浴室用殺菌水吐水装置を図面を用いて説明する。
図１は本実施形態に係る浴室用殺菌水吐水装置１を適用した浴室の一例を示す平面図である。図２は、本実施形態に係る浴室用殺菌水吐水装置１の概略構成を示す模式図である。
本実施形態に係る浴室用殺菌水吐水装置１は、浴室１００に設けられ、浴室１００の洗い場に殺菌水を散布可能な装置である。
【００２７】
浴室１００は、建物の躯体内にフレームとパネルとを用いて、床、壁、天井及び浴槽を組み立てて設置されるユニットバスである。浴室１００は、床部１０１（洗い場）と、外枠形状が平面視で略長方形の浴槽１０２とが平面視矩形の床面を中央で二分するように配置されている。そのため、床部１０１も平面視で略長方形となる。図１において、浴槽１０２及び床部１０１の長辺方向を長手方向Ｌ１と記載し、浴槽１０２及び床部１０１の短辺方向を短手方向Ｌ２と記載する。
【００２８】
床部１０１の長手方向Ｌ１の二辺の端部の内、浴槽１０２と隣接する側の浴槽側端部１０１ａと称する。浴槽側端部１０１ａの長手方向Ｌ１の略中央部には排水口１０６が設けられている。排水口１０６は、床部１０１上を流れる水を排水するために設けられており、不図示の排水経路に接続されている。排水口１０６の上部には、排水口カバー１０９が着脱可能に取り付けられている。排水口カバー１０９は、排水口１０６に取り付けられた状態で排水口１０６の開口縁部との間に隙間が形成される程度に、排水口１０６より寸法が小さい。排水口カバー１０９が排水口１０６の上方を覆うように取り付けられると、排水口カバー１０９の周囲の隙間から床部１０１上を流れる水が排水される。本実施形態において「水」とは、冷水又は温水である。
【００２９】
床部１０１は、図示は省略するが、四隅から排水口１０６に向かって下降するように僅かに傾斜している。傾斜面は、浴室使用時の床部１０１上の水が排水口１０６へ円滑に流れ且つ、床部１０１上に居る人の動作の妨げにならない程度に傾斜している。
【００３０】
図１に示すように、浴室１００には、床部１０１の長手方向Ｌ１の一方の端部の壁部１０８に、カラン水栓１０３と、シャワー水栓１０５と、カウンター１０４とを備える。カウンター１０４は、床部１０１より上方に離間して設けられ、床部１０１の短手方向Ｌ２の幅と略等しい幅寸法を有する。カラン水栓１０３は給水及び給湯が可能な混合水栓である。シャワー水栓１０５は、カラン水栓１０３の給水・給湯流路（不図示）から分岐されており、カラン水栓１０３と同様に給水及び給湯が可能である。シャワー水栓１０５にはホース１０５１が接続され、ホース１０５１の先端にシャワーヘッド１０５２が連結されている。壁部１０８には、シャワーヘッド１０５２が係止可能なシャワーヘッドホルダ１０８１が固定されている。床部１０１のカウンター１０４が設けられる壁部１０８と対向する短手方向Ｌ２に沿う端部側には出入口１１０が設けられている。出入口１１０には不図示の扉が設けられる。
【００３１】
浴槽１０２は、図３に示すように、底部１０２ｃから上端部に向かって傾斜する内側壁１０２ｄを有する。浴槽１０２の上端部から浴槽１０２の上部の外縁部１０２ｅまでは略水平な面１０２ｆが形成され、浴槽１０２の外縁部１０２ｅから下側に曲折して外側壁１０２ａ（側壁部）が形成されている。床部１０１と浴槽１０２とは、エプロン１０７（図３参照）を介して接続されている。エプロン１０７は、浴槽１０２の外側壁１０２ａの下端部の裏面に係止されて保持されている。
【００３２】
次に、本実施形態に係る浴室用殺菌水吐水装置１は、図１及び図２に示すように、複数の吐水口２と、殺菌水生成部４と、流量調整部５と、流路選択部６と、制御装置９とを備える。浴室用殺菌水吐水装置１は、浴室１００の給水管（不図示）から分岐して設けられた吐水管路を備えている。吐水管路は、給水管（不図示）からの分岐部から順に、第１の流路８１、流量調整部５、第２の流路８２、殺菌水生成部４、第３の流路８３、流路選択部６、複数の吐水流路３、及び複数の吐水口２が接続されている。
【００３３】
第１の流路８１は、給水管（不図示）の分岐部から供給された水を流量調整部５に流入させる流路である。
流量調整部５は、制御装置９からの流量調整信号に基づいて、吐水口２に供給する殺菌水の流量を調整する。この流量調整信号は、第２の流路８２に流す水の流量を示す信号である。例えば、流量調整部５は、流量調整弁でもよいし、ポンプであってもよい。流量調整部５は、第１の流路８１から流入してきた水の流量を調整して第２の流路８２を介して殺菌水生成部４に送水する。換言すれば、流量調整部５は、第２の流路８２に流入させる水の流量を調整する。第２の流路８２は、流量調整部５からの水を殺菌水生成部４に送水するための流路である。
【００３４】
殺菌水生成部４は、殺菌水を生成する装置である。殺菌水生成部４は、殺菌水用流路を備え、第２の流路８２から供給された水を殺菌水用流路を流通させながら電気分解することで殺菌水を生成する装置である。この殺菌水とは、次亜塩素酸を含む水溶液でもよいし、金属イオンを含む酸性度の高い水溶液（酸性水）などであってもよい。このように、殺菌水用流路を流通する水は、殺菌水生成部４により電気分解されることで殺菌水となる。生成された殺菌水は、第３の流路８３に流入する。第３の流路８３は、殺菌水生成部４からの水を流路選択部６に送水するための流路である。
【００３５】
殺菌水生成部４は、第２の流路８２と第３の流路８３との間に一つ設けられてもよいし、複数設けられてもよい。殺菌水生成部４を一つ設けると、浴室用殺菌水吐水装置１の装置構成を簡易かつ小型にできる。殺菌水生成部４を複数設ける場合、第２の流路８２と第３の流路８３との間に直列に複数の殺菌水生成部４を並べる例や、並列に並べる例が挙げられる。
【００３６】
また、制御装置９は、各殺菌水生成部４の全てを稼働させてもよいし、一部を稼働させてもよい。この結果、制御装置９は、洗浄対象に応じた適切な濃度で殺菌水を吐水することができ、省電力に寄与する。
【００３７】
殺菌水生成部４を複数設ける場合、第３の流路８３は、複数の殺菌水生成部４と全ての吐水口２とが接続可能に構成され、複数の吐水口２に殺菌水を供給可能であるため、複数の吐水口２から吐水される殺菌水の吐水量または殺菌水濃度のバリエーションが多くなり、殺菌水の吐水状態をより詳細に設定できる。
【００３８】
流路選択部６は、制御装置９からの選択信号に基づいて、複数の吐水口２のうち、殺菌水を吐水させる一つ以上の吐水口を開放する。これにより、流路選択部６で選択された吐水口から殺菌水が吐水される。なお、流路選択部６は、複数の吐水口２のうち、殺菌水を吐水させる吐水口としてすべての吐水口２を選択してもよい。すなわち、殺菌水生成部４で生成された殺菌水は、第３の流路８３を経て流路選択部６に送水され、流路選択部６は、複数の吐水口２から選択的または同時に殺菌水を吐水させることができる。
【００３９】
流路選択部６は、複数の吐水口に接続された吐水流路のそれぞれに電磁開閉弁、電磁比例制御弁等を設け、複数の吐水口を独立して開閉可能な複数のバルブ７１〜７６である。
【００４０】
吐水口２は、洗浄対象である床部１０１（洗い場）に殺菌水を吐水する。吐水口２は、図１に示すように、浴室１００の床部１０１の長手方向Ｌ１に沿って複数並べて設置されている。このように、床部１０１の長手方向Ｌ１に沿って吐水口２を複数並べて設置することにより、各吐水口２から吐水される殺菌水の吐水距離が短くても床部１０１の全域に殺菌水を行き渡らせることができる。そのため、各吐水口２の流量が少なくても、床部１０１の全域に殺菌水が行き渡るように吐水できる。
【００４１】
吐水口２の数は、床部１０１の面積に応じて設定される。本実施形態では、浴槽側端部１０１ａに隣接する浴槽１０２の側壁部に６つの吐水口２１〜２６が等間隔で設けられている。以降の説明において、複数の吐水口２１〜２６のそれぞれを区別しない場合には、単に「吐水口２」と記載する。また、本実施形態では、吐水口２が６つの場合について説明するが、これに限定されない。例えば、本発明の浴室用殺菌水吐水装置１は、吐水口２が二つ以上であればよい。
【００４２】
図３に示すように、複数の吐水口２は、浴槽１０２の外側壁１０２ａに形成された複数の開口１０２ｂに、それぞれ前端面が外側壁１０２ａと好ましくは面一となるように挿通されて取り付けられている。浴槽１０２の６つの吐水口２１〜２６のうちの一つは、長手方向Ｌ１の位置が排水口１０６の位置となるように設けられている。すなわち、複数の吐水口２のうちの一つの吐水口２４は排水口１０６の上方に配置される。
【００４３】
浴槽１０２の内側壁１０２ｄとエプロン１０７との間には隙間Ｓが形成されており、この隙間Ｓ内に、吐水口２と連結された吐水流路３及び流路選択部６が設けられている。
【００４４】
制御装置９は、流量調整部５に流量調整信号を出力することで、流量調整部５の出力を制御する。すなわち、制御装置９は、流量調整部５に流量調整信号を出力することで、流量調整部５における、吐水口２に供給する殺菌水の流量の調整を制御する。
制御装置９は、流路選択部６に選択信号を出力することで、流路選択部６における複数の吐水流路３への給水の切替えを制御する。
【００４５】
次に、本実施形態に係る浴室用殺菌水吐水装置１の殺菌水の吐水方法を説明する。
複数の吐水口２からの殺菌水の吐水を制御するにあたり、床部１０１の洗浄対象となる洗浄領域を設定する。本実施形態では等間隔で６つの吐水口２１〜２６を設けているので、図２に示すように、床部１０１の洗浄領域として６領域がそれぞれ同じ面積で設定される。なお、各吐水口２の吐水範囲が異なる場合は、各洗浄領域は対応する吐水口２の吐水範囲に応じて設定すればよい。
【００４６】
図２に示すように、床部１０１の出入口１１０からカウンター１０４側に長手方向Ｌ１に沿って、順に第１洗浄領域Ａ１、第２洗浄領域Ａ２、第３洗浄領域Ａ３、第４洗浄領域Ａ４、第５洗浄領域Ａ５、及び第６洗浄領域Ａ６が設定されている。したがって、第１洗浄領域Ａ１は、出入口１１０近傍の床部１０１が洗浄対象領域であり、第１の吐水口２１から殺菌水が吐水される。第４洗浄領域Ａ４は、排水口１０６が設けられている領域が洗浄対象領域であり、第４の吐水口２４から殺菌水が吐水される。第６洗浄領域Ａ６は、カウンター１０４の下方近傍が洗浄対象領域であり、第６の吐水口２６から殺菌水が吐水される。同様に、第２洗浄領域Ａ２には第２の吐水口２２から殺菌水が吐水され、第３洗浄領域Ａ３には第３の吐水口２３から殺菌水が吐水され、第５洗浄領域Ａ５には第５の吐水口２５から殺菌水が吐水される。
【００４７】
殺菌水を吐水する際、まず、給水管（不図示）の分岐部から供給された水は、第１の流路８１を経て流量調整部５に供給される。流量調整部５は、制御装置９から受信した流量調整信号に基づいて、各吐水口２１〜２６に供給する殺菌水の流量を調整する。流量調整信号は、第２の流路８２に流す水の流量を示す信号である。流量調整部５は、第１の流路８１から流入してきた水の流量を調整して第２の流路８２を介して殺菌水生成部４に送水する。つまり、流量調整部５は、殺菌水生成部４へ流入させる水の流量を調整する。
【００４８】
第２の流路８２から殺菌水生成部４に供給された水は、殺菌水生成部４により電気分解されることで殺菌水となる。続いて、殺菌水は、第３の流路８３を経て流路選択部６に送水される。流路選択部６は、制御装置９から受信した選択信号に基づいて複数の吐水口２１〜２６のうち、殺菌水を吐水させる一つ以上の吐水口２を選択する。
【００４９】
以下、床部１０１の全域を洗浄する動作について説明する。床部１０１の全域を洗浄したい場合には、制御装置９は、全ての吐水流路３１〜３６を選択する選択信号を流路選択部６に出力する。選択信号を受信した流路選択部６は、全ての吐水流路３１〜３６を開放して第３の流路８３に連通させ、全ての吐水口２から殺菌水が吐水される。この結果、床部１０１の全域に殺菌水を塗布でき、床部１０１全域を洗浄できる。
【００５０】
一方、床部１０１の一部の領域を洗浄したい場合、例えば、排水口１０６が設けられている第４洗浄領域Ａ４のみを洗浄したい場合、制御装置９は、第４洗浄領域Ａ４に対応する第４の吐水口２４（近位吐水口）のみ殺菌水が吐水されるように、第４吐水流路３４を選択する選択信号を流路選択部６に出力する。選択信号を受信した流路選択部６は、選択された第４吐水流路３４を開放して第３の流路８３と連通させ、且つ、他の吐水流路３と第３の流路８３との連通を遮断する。この結果、第４吐水流路３４のみを開放し、その他の吐水流路３が閉塞する。そのため、第４の吐水口２４から殺菌水が吐水され、第４洗浄領域Ａ４のみを洗浄することができる。
【００５１】
床部１０１のうち排水口１０６は、汚れが付着しやすい場所である。排水口１０６に効果的に殺菌水を散布する方法は、上記方法に限定されない。流路選択部６は、例えば、第４の吐水口２４と、排水口１０６から最も遠い第１の吐水口２１及び第６の吐水口２６（遠位吐水口）が第４の吐水口２４より先に吐水される、その他の領域とで殺菌水の吐水状態を変えることができる。その結果、排水口を重点的に殺菌したい場合に、殺菌水生成部４で生成された殺菌水を効果的に排水口に散布することができる。
【００５２】
次に、各吐水口２の吐水状態を変える制御例について説明する。
例えば、流路選択部６は、複数の吐水口２のうち第４の吐水口２４に先行して、排水口１０６から最も遠い第１の吐水口２１及び第６の吐水口２６から殺菌水を吐水し、続いて第２の吐水口２２及び第５の吐水口２５から殺菌水を吐水し、最後に第４の吐水口２４から殺菌水を吐水するように選択してもよい。
床部１０１は傾斜しているので、第１の吐水口２１及び第６の吐水口２６から吐水された殺菌水は床部１０１上を排水口１０６に向かって流れる。その結果、第４の吐水口２４からの殺菌水の吐水量を少量にしても床部１０１全体を確実に殺菌できるので、殺菌水生成部４で生成される殺菌水を効率的に床部１０１に散布することができる。
【００５３】
流量調整部５は、吐水口２から吐水された殺菌水が床部１０１の特定の領域に着水するように、吐水口２からの殺菌水の流量調整を行ってもよい。吐水口２から吐水される殺菌水の流量を少なくすることにより、殺菌水は吐水口２の直下に向かって落下する。一方、吐水口２から吐水される殺菌水の流量を多くすると殺菌水の飛散距離が長くなる。したがって、重点的に殺菌したい床部１０１の特定の領域の位置と吐水口２との位置関係に応じて、流量調整部５において殺菌水の吐水量を調整することにより、殺菌水を確実に床部１０１の特定の領域に散布させることができる。例えば、流量調整部５は、第４の吐水口２４から吐水された殺菌水が排水口１０６上に着水するように流量調整を行ってもよい。本実施形態では、排水口１０６は、浴槽側端部１０１ａに設けられ、第４の吐水口２４は排水口１０６の上方の外側壁１０２ａに設けられている（図３参照）。そのため、第４の吐水口２４から吐水される殺菌水の流量を少なくすることにより、殺菌水を確実に排水口１０６上に着水させて、殺菌水を効率的に排水口１０６に散布することができる。なお、排水口１０６が第４の吐水口２４から床部１０１の短手方向Ｌ２に離間している場合は、第４の吐水口２４と排水口１０６との位置関係に応じて第４の吐水口２４における殺菌水の流量を調整すればよい。
【００５４】
このように、制御装置９は、床部１０１を洗浄する場合に、必要な領域に必要な量の殺菌水を吐水することが可能になり、殺菌する必要がない領域に対する無駄な吐水を防止することができる。
【００５５】
床部１０１の洗浄領域の選択方法や、各洗浄領域を洗浄する順序は、予め設定された洗浄モードに基づいて制御されてもよい。例えば、床部１０１のうち、汚れやすく重点的に洗浄することが望まれる領域として、排水口１０６が設けられている第４洗浄領域Ａ４を必ず洗浄するように洗浄モードが設定されており、定期的に第４洗浄領域Ａ４を自動洗浄するように制御してもよい。さらに、重点的に洗浄することが望まれる領域のみを先に洗浄し、連続して全体を洗浄するモードであってもよい。この他、使用者が所望の洗浄領域を選択し、選択結果をリモートコントローラ等により入力して、洗浄領域が設定されてもよい。また、各洗浄領域への殺菌水の吐水を実行する時間は、任意に設定可能である。
【００５６】
さらに、制御装置９は、殺菌水の流量を変化させるように、流量調整部５を制御してもよい。一部の洗浄領域のみを洗浄後に連続して全ての洗浄領域を洗浄する制御が行われる場合に、殺菌水の流量を一定にしていると、床部１０１全域を洗浄する制御段階で殺菌水の流速が低下する。殺菌水の流速が低下すると、吐水口２からの吐水距離が短くなり、床部１０１全体に殺菌水を吐水できない場合がある。すなわち、一部の洗浄領域を洗浄する制御から全ての洗浄領域を洗浄する制御に移行する場合には、全ての吐水流路３１から３６が開放されるため、全体として吐水口２の開口面積が増加する。そのため、制御装置９は、殺菌水の流量が一定になるように制御すると、殺菌水の流速が低下し、床部１０１全域に殺菌水を吐水することができない。
そこで、制御装置９は、例えば、汚れやすい特定の洗浄領域に吐水する吐水口（例えば第４の吐水口２４）からの吐水流量が一定になるように流量調整部５を制御する。
この他、各洗浄対象領域における床部１０１の短手方向Ｌ２（図３における左右方向）のうち、重点的に洗浄したい箇所に応じて殺菌水の吐水状態を調整してもよい。具体的には、制御装置９が、各吐水口２における流量を変化させることにより、各洗浄対象領域における吐水角度を変化させ、殺菌水の飛散距離を調整するように流量調整部５を制御する。
【００５７】
例えば、制御装置９は、予め設定された計算式やテーブルに基づき、流量調整部５により調整される殺菌水の流量を決定してもよい。これら計算式やテーブルは、例えば殺菌水を吐水する吐水口２の数や開口面積に基づいて殺菌水の流量が決定できるように、実験的又は理論的に定めればよい。予め設定されたテーブルを用いる場合には、殺菌水を吐水する吐水口２の数や開口面積に関連付けられた殺菌水の流量を備えるルックアップテーブルが不図示の記憶部に予め記憶されていてもよい。そして、制御装置９は、実際に殺菌水を吐水する吐水口２の数や開口面積に対応する殺菌水の流量を上記ルックアップテーブルから取得し、取得した殺菌水の流量になるように流量調整部５を制御する。
これにより、制御装置９は、汚れやすい領域への吐水流量を所定量に保つことで、汚れやすい領域に確実に殺菌水を吐水することができる。
【００５８】
上述したように、本実施形態に係る浴室用殺菌水吐水装置１によれば、床部１０１の長手方向Ｌ１に沿って複数の吐水口２が並べて設置されているので、各吐水口２１〜２６から吐出する殺菌水の吐水距離（飛距離）が短くても洗い場の床面の全域に殺菌水を行き渡らせることができる。そのため、各吐水口２１〜２６の流量が少なくても、床部１０１の全域に殺菌水が行き渡るように吐水できる。この結果、殺菌成分を所定濃度に上昇させるのに必要な殺菌水生成部４の設備を小型化することができ、且つ装置のコストを抑えられる。また、流路選択部６により、複数の吐水口２を同時または選択的に吐水できるので、洗い場の床部１０１の所望の領域のみに殺菌水を吐水することや、同時に全域に吐水することができる。この点においても殺菌成分を所定濃度に上昇させるのに必要な殺菌水生成部４の設備を小型化することができ、且つ装置のコストを抑えることができる。
【００５９】
本実施形態に係る浴室用殺菌水吐水装置１によれば、吐水流路３から複数の吐水口２への給水を切り替え可能であるため、床部１０１の所望の領域のみに殺菌水を吐水することや、同時に殺菌水を吐水することができる。
【００６０】
本実施形態に係る浴室用殺菌水吐水装置１によれば、流路選択部６は、複数の吐水口２を独立して開閉可能であるため、床部１０１の所望の領域のみに殺菌水を吐水することや、床部１０１全域に同時に吐水することができる。
【００６１】
本実施形態に係る浴室用殺菌水吐水装置１によれば、吐水流路３及び複数の吐水口２が床部１０１に隣接する浴槽１０２の外側壁１０２ａに配設されているので、浴槽１０２の内側壁１０２ｄ近傍に形成される隙間Ｓを吐水流路３及び複数の吐水口２の収容部として有効に活用できる。また、吐水流路３及び複数の吐水口２を設けるために、浴槽１０２あるいは床部１０１のスペースを狭くする必要がない。
【００６２】
上記実施形態では、流路選択部６は、複数の吐水口を独立して開閉可能なバルブを例示したが、この形態に限定されるものではない。流路選択部６は、例えば、吐水流路上に配設され、吐水流路から複数の吐水口への給水を機械的に切り替え可能な切替機構であってもよい。
【００６３】
図４及び図５に、流路選択部６の変形例である切替機構６０を示す。図５に示すように、切替機構６０は、吐水流路３の上流端に、分岐管６１及び切替管６２を備える。分岐管６１の外周面には、一列に並ぶ複数の管路連結口６３が形成され、各管路連結口６３にそれぞれ吐水流路３が連結されている。吐水流路３に供給された殺菌水は管路連結口６３を経て各分岐管６１に供給されて吐水口２から吐出される。
【００６４】
切替管６２は、分岐管６１の内側に挿入されている。切替管６２は、外周面が分岐管６１の内周面に近接し、切替管６２が分岐管６１内を周方向にスライド可能に挿入されている。切替管６２には、複数の切替孔６４が内外に連通して形成されている。切替管６２は、殺菌水の流路の上流側の端部は第３の流路８３に接続されている。複数の切替孔６４は、軸線Ｃ方向においては各管路連結口６３の位置に対応し、且つ、周方向においては、整列せずに所望の位置に形成されている。切替管６２が分岐管６１内で軸線Ｃ周りに回転し、切替孔６４が管路連結口６３の一つと重なると、切替管６２内から、切替孔６４及び管路連結口６３を介して殺菌水が吐水口２側へ供給される。一方、切替管６２が分岐管６１内で軸線Ｃ周りに回転し、切替孔６４が管路連結口６３に対してずれて、切替管６２の周壁が管路連結口６３を塞ぐと、その吐水流路３が塞がれて、連結された吐水口２への殺菌水の供給が停止される。
【００６５】
複数の切替孔６４の位置は、複数の吐水口２のうち、殺菌水を吐水させる吐水口の組み合わせに応じて設定されている。例えば、図２に示す第１洗浄領域Ａ１と第６洗浄領域Ａ６とを同時に洗浄したい場合、切替管６２には、第１の吐水口２１及び第６の吐水口２６に軸線Ｃ方向の位置が対応し、且つ、切替管６２の周方向の位置が一致するように並ぶ切替孔６４を形成し、切替管６２の周方向において、その他の吐水口２２〜２５に対応する位置には切替孔６４を形成しない。第１洗浄領域Ａ１と第６洗浄領域Ａ６とを同時に洗浄したい場合、制御装置９により、切替管６２の分岐管６１に対する周方向の位置を制御し、第１の吐水口２１及び第６の吐水口２６のみが開放されるように構成することができる。
【００６６】
また、図示は省略するが、複数の切替孔６４は、図５に示す切替管６２の背面側に、分岐管６１の管路連結口６３と同様に軸方向一列に整列して形成されている。複数の吐水口２の全てから同時に殺菌水を吐水させる場合は、制御装置９は、一列に整列した全切替孔６４が管路連結口６３と重なる位置になるように切替管６２を回転させる。
【００６７】
さらに、各切替孔６４と各管路連結口６３とが一部重なると、吐水流路３は管路連結口６３の全開状態よりも開口面積が小さい状態で開口する。管路連結口６３に対する切替孔６４の重なり具合を調整することにより、吐水口２からの吐水量を調整可能である。例えば、第４の吐水口２４と、その両隣に位置する第３の吐水口２３及び第５の吐水口２５から殺菌水を吐出させる場合であって、第３の吐水口２３及び第５の吐水口２５は第４の吐水口２４よりも吐水量を少なくしたい場合、第４の吐水口２４に対応する切替孔６４に軸線Ｃ方向に隣り合う切替孔６４の周方向または軸線Ｃ方向の位置を少しずらして形成する。このように構成すると、第４の吐水口２４に対応する切替孔６４が第４吐水流路３４に対応する管路連結口６３と全開状態で重なると、第３吐水流路３３及び第５吐水流路３５の管路連結口６３は部分的に開口した状態となる。この結果、第４の吐水口２４に比べて、第３の吐水口２３及び第５の吐水口２５の方が殺菌水の吐水流量を少なくすることができる。制御装置９がこのような制御を行うことにより、切替管６２を流量調整部として機能させてもよい。
【００６８】
上記切替機構６０によれば、吐水流路３から複数の吐水口２１〜２６への給水を切り替え可能であるため、床部１０１の所望の領域のみに殺菌水を吐水することや、床部１０１の全域に同時に吐水することができる。
【００６９】
（第二実施形態）
以下に、第二実施形態に係る浴室用殺菌水吐水装置１について説明する。なお、以下の実施形態において、上記の第一実施形態と同様の構成には第一実施形態と同一の符号を付し、重複する説明を省略する。図６に第二実施形態に係る浴室用殺菌水吐水装置１の適用例の浴室１００Ａの平面図を示す。
【００７０】
第一実施形態では、複数の吐水口２は、浴槽１０２の外側壁１０２ａに形成された複数の開口１０２ｂに挿通されて取り付けられている例を示した。しかし、複数の吐水口を設ける位置はこれに限定されない。複数の吐水口は、浴室１００の床部１０１の長手方向に沿って複数並べて設置されていることが好ましい。第一実施形態では、床部１０１が平面視で略長方形であり、浴槽１０２の長手方向と床部１０１の長手方向Ｌ１とが平行な例を示したが、床部の形状はこれに限定されない。例えば、図６に示すように、カウンター１０４Ａと平行な辺が長手方向Ｌ１となるような床部１０１を備える浴室１００Ａでもよい。この他、例えば、床部の平面視形状が略Ｌ字状、正方形状等、長方形以外も含む。なお、床部の平面視形状が正方形状の場合、直交する二辺のいずれかに沿って複数の吐水口が設けられればよい。この他、例えば、床部の外縁が円形（楕円形を含む）であり、円形や矩形の浴槽が設置された異形の床部であってもよい。このような異形の床部の場合は、床部における最長部と平行な方向を長手方向という。
【００７１】
図６に示す浴室１００Ａの場合は、複数の吐水口２は、床部１０１の長手方向Ｌ１に沿って、カウンター１０４Ａに吐水口２を複数並べて設置する。このような構成により、各吐水口２から吐水される殺菌水の吐水距離が短くても床部１０１Ａの全域に殺菌水を行き渡らせることができる。
【００７２】
図７に本実施形態の吐水口付近の吐水管路の縦断面図を示す。図６及び図７に示すように、カウンター１０４Ａに複数の吐水口２を設ける場合、カウンター１０４Ａの突出端面１０４１に、長手方向Ｌ１に沿って複数の吐水口２を並べて配置すればよい。この場合、流路選択部６は、カウンター１０４が設けられる壁部１０８の裏面側に設けられていてもよい。
【００７３】
以上、本発明の実施形態について図面を参照して詳述したが、具体的な構成はこの実施形態に限られるものではなく、本発明の要旨を逸脱しない範囲の設計変更等も含まれる。
また、上述の各実施形態及び各変形例において示した構成要素は適宜に組み合わせて構成することが可能である。
【符号の説明】
【００７４】
１，１Ａ  浴室用殺菌水吐水装置
２，２１〜２６  吐水口
５  流量調整部
４  殺菌水生成部
６  流路選択部
６０  切替機構
７１〜７６  バルブ
１０２  浴槽
１０２ａ  外側壁（側壁部）
【図１】
2018166668.tif 000003
【図２】
2018166668.tif 000004
【図３】
2018166668.tif 000005
【図４】
2018166668.tif 000006
【図５】
2018166668.tif 000007
【図６】
2018166668.tif 000008
【図７】
2018166668.tif 000009